(57)【要約】      （修正有）【課題】把手を持った手の痛みを抑制できる梱包箱の把手及び梱包箱を提供する。【解決手段】梱包箱の側面５、９に設けられた手入れ穴と、手入れ穴の上縁に接続し、梱包箱の内部に折り返し可能な折り返し片６４と、を備え、折り返し片の先端の少なくとも一部に、曲線形状を有する梱包箱の把手５３であり、曲線形状は、山形状と谷形状とが交互に並ぶ形状である。把手は、折り返し片の基部両端付近から外側へ延び、上に凸の曲線形状を有する切れ目５７、５９をさらに備えていてもよい。また、折り返し片の基部に、左右方向における中央にゆくほど間隔が広い２本の罫線を備えていてもよい。【選択図】図１
0003205213.tif 000002
【実用新案登録請求の範囲】
【請求項１】
梱包箱の側面に設けられた手入れ穴と、
前記手入れ穴の上縁に接続し、前記梱包箱の内部に折り返し可能な折り返し片と、
を備え、
前記折り返し片の先端の少なくとも一部は、曲線形状を有する梱包箱の把手。
【請求項２】
請求項１に記載の梱包箱の把手であって、
前記曲線形状は、山型形状と谷型形状とが交互に並ぶ形状である梱包箱の把手。
【請求項３】
請求項１又は２に記載の梱包箱の把手であって、
前記折り返し片の基部両端付近から外側へ延び、上に凸の曲線形状を有する切れ目をさらに備える梱包箱の把手。
【請求項４】
請求項１〜３のいずれか１項に記載の把手であって、
前記折り返し片の基部に、左右方向における中央にゆくほど間隔が広い２本の罫線を備える梱包箱の把手。
【請求項５】
請求項４に記載の梱包箱の把手であって、
前記２本の罫線のうち、少なくとも一方は弧状形状を有する梱包箱の把手。
【請求項６】
請求項１〜５のいずれか１項に記載の梱包箱の把手を側面に備える梱包箱。
【考案の詳細な説明】
【技術分野】
【０００１】
本考案は梱包箱の把手及び梱包箱に関する。
【背景技術】
【０００２】
以下のようにして、梱包箱の側面に把手を設ける方法が知られている。まず、梱包箱の側面に、上縁を残して略長円状の切れ目を設ける。次に、側面のうち、切れ目で囲まれた部分（以下では折り返し片とする）を、上縁を折り目として内側に折り返す。その結果、梱包箱の側面に手入れ穴が生じる。この手入れ穴を、梱包箱の把手とする（特許文献１参照）。
【先行技術文献】
【特許文献】
【０００３】
【特許文献１】特許第４７３１７２７号公報
【考案の概要】
【考案が解決しようとする課題】
【０００４】
特許文献１記載の技術では、折り返し片は、側面の内側であって、手入れ穴の上方に位置する。ユーザの手が手入れ穴に入ったとき、指が折り返し片の先端に当たることがある。この場合、ユーザの指に痛みが生じるおそれがある。
【０００５】
本考案は、こうした問題に鑑みてなされたものであり、把手を持ったユーザの手における痛みを抑制できる梱包箱の把手及び梱包箱を提供することを目的としている。
【課題を解決するための手段】
【０００６】
本開示の一形態である梱包箱の把手は、梱包箱の側面に設けられた手入れ穴と、前記手入れ穴の上縁に接続し、前記梱包箱の内部に折り返し可能な折り返し片と、を備え、前記折り返し片の先端の少なくとも一部は、曲線形状を有する。
【０００７】
折り返し片を梱包箱の内側に折り返したとき、折り返し片の端面は、梱包箱の内側であって、手入れ穴の上方に位置する。ユーザの手が手入れ穴に入ったとき、ユーザの指は、折り返し片の端面に当接することがある。本開示の梱包箱の把手においては、端面の少なくとも一部は曲線形状を有するから、端面に当接したユーザの指に痛みが生じにくい。
【図面の簡単な説明】
【０００８】
【図１】梱包箱１の構成を表す展開図である。
【図２】梱包箱１の構成を表す斜視図である。
【図３】把手５３の構成を表す正面図である。
【図４】把手５３の構成を表す斜視図である。
【図５】把手５３の構成を表す断面図である。
【考案を実施するための形態】
【０００９】
本開示の実施形態を図面に基づき説明する。
＜第１実施形態＞
１．梱包箱１の構成
梱包箱１の構成を図１〜図５に基づき説明する。梱包箱１は段ボールから成る。図１に示すように、梱包箱１は、側面３、５、７、９と、天板フラップ１１、１３、１５、１７と、底板フラップ１９、２１、２３、２５と、糊しろ２７と、を備える。
【００１０】
側面３は、罫線２９を介して天板フラップ１１と接続し、罫線３１を介して側面５と接続し、罫線３３を介して底板フラップ１９と接続している。側面５は、罫線３５を介して天板フラップ１３と接続し、罫線３７を介して側面７と接続し、罫線３９を介して底板フラップ２１と接続している。側面７は、罫線４１を介して天板フラップ１５と接続し、罫線４３を介して側面９と接続し、罫線４５を介して底板フラップ２３と接続している。側面９は、罫線４７を介して天板フラップ１７と接続し、罫線４９を介して底板フラップ２５と接続している。糊しろ２７は、罫線５１を介して側面３と接続している。
【００１１】
側面５は、把手５３を備える。把手５３は、左右方向において、側面５の中央にある。把手５３は、上下方向において、側面５の上方寄りの位置にある。図３に示すように、把手５３は、切れ目５５、５７、５９、罫線６１、６３から構成される。切れ目５５、及び罫線６１で囲まれる部分は、折り返し片６４である。折り返し片６４のうち、罫線６１と罫線６３で挟まれる部分は、額縁部６６である。罫線６１、６３は、折り返し片６４の基部にある。また、額縁部６６も、折り返し片６４の基部にある。
【００１２】
切れ目５５は、横方向に延びる第１切れ目５５Ａ、第１切れ目５５Ａにおける右端から上方向に延びる第２切れ目５５Ｂ、及び第１切れ目５５Ａにおける左端から上方向に延びる第３切れ目５５Ｃを備える。第１切れ目５５Ａ、第２切れ目５５Ｂ、及び第３切れ目５５Ｃは連続している。
【００１３】
第１切れ目５５Ａは、山部６５と谷部６７とが交互に並ぶ形状を有する。山部６５は山型の形状を有し、曲線形状に対応する。谷部６７は谷型の形状を有し、曲線形状に対応する。谷部６７と山部６５とは、段差なく接続している。
【００１４】
切れ目５７は、第３切れ目５５Ｃの上端付近から、外側へ延びる。外側とは、把手５３の左右方向における中央から離れる方向を意味する。また、換言すれば、切れ目５７は、折り返し片６４の基部における左端から外側に延びる。切れ目５７は、上に凸の曲線形状を有する。本実施形態では、切れ目５７と第３切れ目５５Ｃとは連続していない。別形態として、切れ目５７と第３切れ目５５Ｃとが連続していてもよい。
【００１５】
切れ目５９は、第２切れ目５５Ｂの上端付近から、外側へ延びる。外側の意味は上述したとおりである。また、換言すれば、切れ目５９は、折り返し片６４の基部における右端から外側に延びる。切れ目５９は、切れ目５７と同様に、上に凸の曲線形状を有する。本実施形態では、切れ目５９と第２切れ目５５Ｂとは連続していない。別形態として、切れ目５９と第２切れ目５５Ｂとが連続していてもよい。
【００１６】
罫線６１は、切れ目５７から切れ目５９まで、横方向に延びている。罫線６１の形状は直線である。罫線６３は、罫線６１よりも下側にある。罫線６３は、第３切れ目５５Ｃの上端から、第２切れ目５５Ｂの上端まで、基本的には、横方向に延びている。罫線６３の形状は、下に凸の弧状形状である。罫線６１と罫線６３との縦方向における間隔は、把手５３の左右方向における中央にゆくほど、広い。図１に示すように、側面９も、側面５と同様に、把手５３を備えている。
【００１７】
梱包箱１を組み立てると、図２に示すように、梱包箱１は直方体形状を有する。糊しろ２７は、側面９のうち、罫線４３とは反対側の接着部６９（図１参照）に接着される。側面５の把手５３と、側面９の把手５３とは、対向する位置関係にある。
【００１８】
側面５における把手５３についてさらに説明する。図４、図５に示すように、罫線６１において折り返し片６４を、梱包箱１の内側に折り曲げることができる。また、さらに、罫線６３において、折り返し片６４を折り曲げることができる。このとき、額縁部６６は、水平面に略平行となる。折り返し片６４のうち、額縁部６６よりも先端側にある部分（以下では先端部７１とする）は、梱包箱１の内部において、側面５と略平行になる。
【００１９】
折り返し片６４を内側に折り曲げることにより、手入れ穴７３が生じる。手入れ穴７３の上縁は折り返し片６４に接続しており、額縁部６６が存在する。手入れ穴７３の下縁における形状は、第１切れ目５５Ａの形状であって、谷部６７と山部６５とが交互に並んでいる。
【００２０】
また、先端部７１の端面７１Ａにおける形状も、第１切れ目５５Ａの形状であって、谷部７５と山部７７とが交互に並ぶ曲線形状である。なお、谷部７５は、折り返し片６４を折り返す前に、山部６５に対向していた部分であり、山部７７は、折り返し片６４を折り返す前に、谷部６７に対向していた部分である。側面９における把手５３も、側面５における把手５３と同様の構成を有する。
【００２１】
２．梱包箱１が奏する効果
（１Ａ）折り返し片６４を梱包箱１の内側に折り返したとき、図４、図５に示すように、端面７１Ａは、側面５又は側面９の内側であって、手入れ穴７３の上方に位置する。梱包箱１を持ち上げるために、ユーザの手が手入れ穴７３に入ったとき、ユーザの指は、端面７１Ａに当接する。
【００２２】
端面７１Ａは、上述したように、谷部７５と山部７７とが交互に並んだ曲線形状を有する。そのため、端面７１Ａに当接したユーザの指に痛みが生じにくい。  
（１Ｂ）梱包箱１は、上述した形状を備える切れ目５７、５９を備える。そのため、手入れ穴７３に手を入れて梱包箱１を持ち上げたとき、手入れ穴７３の上縁における左右両端から、上向きに裂け目が生じてしまうことを抑制できる。
【００２３】
（１Ｃ）梱包箱１は、罫線６１、６３を備える。そのため、折り返し片６４を梱包箱１の内側に折り返したとき、手入れ穴７３の上縁に額縁部６６を設けることができる。ユーザが手入れ穴７３に手を入れて梱包箱１を持ち上げるとき、ユーザの掌は主として額縁部６６に当接する。額縁部６６の幅は、側面５、９の板厚より大きい。そのことにより、ユーザが梱包箱１を持ち上げるときに、ユーザの掌に加わる荷重を分散し、ユーザの掌に生じる痛みを軽減できる。
【００２４】
（１Ｄ）罫線６３の形状は、下に凸の弧状形状である。そのため、一旦内側に折り返した折り返し片６４が元の位置に戻ってしまうことを抑制できる。
（１Ｅ）罫線６３の形状は、下に凸の弧状形状である。そのため、罫線６３の部分は、それに接触するユーザの手と一層フィットする。
＜他の実施形態＞
以上、本開示を実施するための形態について説明したが、本開示は上述の実施形態に限定されることなく、種々変形して実施することができる。
【００２５】
（１）把手５３は、側面３、５、７、９にそれぞれ設けてもよい。また、把手５３は、側面５、９のうちの一方に設けてもよい。
（２）端面７１Ａの形状は適宜選択できる。例えば、１つの円弧から成る形状、サインカーブの形状、ランダムな曲線形状等であってもよい。
【００２６】
（３）罫線６１の形状は、他の形状であってもよい。例えば、上に凸の円弧形状であってもよい。
（４）額縁部６６の上下方向における幅は、一定であってもよい。
【００２７】
（５）梱包箱１の材料は、段ボール以外の材料でもよい。例えば、プラスチック、板紙等でもよい。
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、実用新案登録請求の範囲に記載した文言のみによって特定される技術思想に含まれるあらゆる態様が本開示の実施形態である。
【００２８】
（７）上述した梱包箱１の他、当該梱包箱１を構成要素とするシステム、梱包箱１を用いた保存方法や輸送方法等、種々の形態で本開示を実現することもできる。
【符号の説明】
【００２９】
１…梱包箱、３、５、７、９…側面、１１、１３、１５、１７…天板フラップ、１９、２１、２３、２５…底板フラップ、２９、３１、３３、３５、３７、３９、４１、４３、４５、４７、４９、５１、６１、６３…罫線、５３…把手、５５、５７、５９…切れ目、５５Ａ…第１切れ目、５５Ｂ…第２切れ目、５５Ｃ…第３切れ目、６４…折り返し片、６５、７７…山部、６６…額縁部、６７、７５…谷部、６９…接着部、７１…先端部、７１Ａ…端面、７３…手入れ穴
【図１】
0003205213.tif 000003
【図２】
0003205213.tif 000004
【図３】
0003205213.tif 000005
【図４】
0003205213.tif 000006
【図５】
0003205213.tif 000007